(57)【特許請求の範囲】
【請求項１】
駆動装置（２）がＡＣ電源に対して電気的に接続された導電金属板（８）を介在させた多数の圧電セラミックス板（７）と、外周面および内周面を有する釣り合い重り（９）と、締付けねじ（１０）とで構成されている形式の、超音波密封装置（１）用の駆動装置（２）の配列であって、釣り合い重り（９）の内周面に溝（１２）が備えられて締付け荷重を均等化するようになっていることを特徴とする超音波密封装置用の駆動装置の構造。
【請求項２】
請求項１に記載の構造であって、釣り合い重り（９）の内周面の中央に溝（１２）が配置されていることを特徴とする超音波密封装置用の駆動装置の構造。
【請求項３】
請求項１に記載の構造であって、溝（１２）がＶ字形であることを特徴とする超音波密封装置用の駆動装置の構造。
【請求項４】
請求項１に記載の構造であって、溝（１２）がその大部分の範囲で釣り合い重り（９）の厚さ（Ａ）の２０〜８０％をなしていることを特徴とする超音波密封装置用の駆動装置の構造。
【請求項５】
請求項１に記載の構造であって、溝（１２）が釣り合い重り（９）の材料厚さ（Ｂ）の１５〜４０％をなしていることを特徴とする超音波密封装置用の駆動装置の構造。
【発明の詳細な説明】
【０００１】
【発明の属する技術分野】
本発明は、駆動装置がＡＣ電源に対して電気的に接続された導電金属板を介在させた多数の圧電セラミックス板と、外周面および内周面を有する釣り合い重りと、締付けねじとで構成されている形式の、超音波密封装置用の駆動装置の構造に関する。
【０００２】
【従来の技術】
従来の超音波密封装置は一般にコンバータ、ブースタ、およびホーンを有している。電気的振動を機械的振動に変換するコンバータ若しくはトランスジューサには幾つかの形式の駆動装置が含まれており、その駆動装置はＡＣ電源に連結される。スウェーデン国特許出願第ＳＥ９３００９１８−１号（小型密封装置に関する）に記載されている形式の超音波密封装置も駆動装置を有している。この形式の密封装置は、該装置の係止点（ａｎｃｈｏｒａｇｅ  ｐｏｉｎｔ）を構成する中央の節平面と、駆動装置を取り囲むリアクションボデーと、細長く狭い密封面を備えたホーンとを有している。このような密封装置は、１回で使い捨てられる形式のパッケージに液体内容物を充填するための充填機における利用可能な限られた空間内で使用できるように特に設計され、製造されていた。
【０００３】
超音波密封装置用の駆動装置の共通する形式とは、ＡＣ電源に連結される導電金属板が多数の圧電セラミックス板の間隔内に挟み込まれて構成された形式である。セラミックス板は締付けねじによって密封装置に固定されており、その締付けねじは釣り合い重りを所定位置に締め付けている。
【０００４】
釣り合い重りおよびセラミックス板の両方に一般に加えられる締付け力が比較的大きく、一般に２５ＭＰａまたはそれ以上であると、比較的厚い釣り合い重りですら変形を生じて、圧電セラミックス板に分布される荷重が乱されるようになる。釣り合い重りの厚さは通常はその直径の半分未満である。当然ながら厚い釣り合い重りは生じる変形が小さく、この結果、より一層均等な荷重分布をセラミックス板に与えることになる。しかし、過剰に厚い釣り合い重りを使用することは不利である。何故なら、その結果としてセラミックス板の数が減少されるか、薄い寸法にされねばならなくなるからである。不均等な荷重分布はセラミックス板に極めて不都合な荷重作用を生じる。セラミックス板は脆く、あらゆる形態の引張り応力や曲げ応力に非常に敏感である。
【０００５】
セラミックス板に幾分ながら一層均等な荷重分布を得る１つの方法は、水平に分割した釣り合い重りを使用することである。しかしながら、その特有な欠点は釣り合い重りの各々の部分がかなり薄くなることである。これは更に各々の部分に大きな弾性をもたらし、その結果、変形が不可避となるために全体的に均等な荷重分布を得ることが不可能になる。更に、分割した釣り合い重りは製造が一層困難且つ高価となる。大きな弾性は接触面に騒音の発生をもたらすことがある。更に、かなり（ｑｕａｎｔｉｆｉａｂｌｙ）大きなエネルギー損失が分割した釣り合い重りについて立証されている。
【０００６】
【発明が解決しようとする課題】
本発明の１つの目的は、密封装置が作動されるとき、圧電セラミックス板の全面にできるだけ均等に荷重を分布することのできる釣り合い重りを備えた駆動装置を実現することである。
【０００７】
本発明の他の目的は、分割した釣り合い重りの特有な欠点がない駆動装置用の釣り合い重りを製造できるようにすることである。
【０００８】
【課題を解決するための手段】
これらのおよび他の目的は本発明によって達成されるのであり、冒頭に例として開示した形式の構造は、締付け荷重を均等化するために釣り合い重りの内周面に溝が備えられるという特徴を与えられる。
【０００９】
本発明の複数の好ましい実施例は、特許請求の範囲の従属請求項に記載したような特徴を与えられている。
【００１０】
本発明の好ましい実施例の１つが添付図面を特に参照して以下に非常に詳細に説明される。
【００１１】
【発明の実施の形態】
いずれの形式の超音波密封装置１も、例えば図１に示される密封装置１と同様に駆動装置２を有していなければならない。図１の密封装置１は、１回で使い捨てられる形式のパッケージに液体内容物を充填するための充填機における利用可能な限られた空間内に収容できるように特に作られており、密封装置１の全長はちょうど半波長となされている。駆動装置２に加えて密封装置１は、駆動装置２を取り囲むリアクションボデー３と、密封装置が固定される、中央に位置する節平面４と、細長い狭い密封面６を備えたホーン５とを有している。本発明による配列は、コンバータ、ブースタおよびホーンを有して構成される形式の通常の超音波密封装置１用の駆動装置２に当然使用できる。
【００１２】
ＡＣ電源（図示せず）に連結された密封装置１用の駆動装置２は、電位を機械的変位に変換するのであり、この機械的変位が密封装置１の密封作用をなす振動を生じる。駆動装置２は外周面および内周面を有する多数の圧電セラミックス板７で構成される。圧電セラミックス板７の間に導電金属板８が備えられ、この導電金属板８はニッケルまたはベリリウム青銅で作られることが好ましい。金属板８はＡＣ電源（図示せず）に連結されて、圧電セラミックス板７が電気的に並列に連結されるようになされる。
【００１３】
圧電セラミックス板７は非常に大きい圧縮応力に耐えることができるが、これらは脆く、引張り応力および曲げ応力に敏感である。したがって、超音波密封装置１が作動されている間に圧電セラミックス板７に圧力荷重が作用している状態になければならず、このことは、駆動装置２が発生する最大振幅よりも大きな締付け力をそれに加えることによって実現される。この締付け力は釣り合い重り９および締付けねじ１０によって得られる。
【００１４】
外周面および内周面を備えた金属板で構成される釣り合い重り９は、例えば鋼のようにできるだけ剛性な材料から作られることが好ましい。釣り合い重り９は締付け力を圧電セラミックス板７に加え、また駆動装置２が発生させるように意図された特定の共振周波数を得るためのリアクション質量体として使用されている。締付けねじ１０は釣り合い重り９、セラミックス板７および金属板８を或る締付け力のもとで一体に保持して一つのユニットを形成しており、また駆動装置２を密封装置１に固定している。
【００１５】
セラミックス板７が非均等な荷重に敏感であることを考えると、セラミックス板７に作用する締付け力ができるだけ均等に分布されることが望まれる。しかしながら、測定の結果、図２に示されるように、従来の釣り合い重りは一般に２５ＭＰａまたはそれ以上の大きな締付け力で変形されて、釣り合い重り９の外周よりも内周に大きな圧縮荷重が得られることが判明した。セラミックスは極めて脆いので、セラミックス板７のエッジに最大荷重がかかることは特に不都合である。この問題は、僅かながらより均等な荷重を与える分割された釣り合い重り９を使用することで或る程度解決された。しかしながら、釣り合い重りを分割した結果として、釣り合い重り９自体が薄くなり、それにより一層弾性になってしまう。この結果、釣り合い重りの各部分の変形が避けられず、全体的に均等な荷重分布は達成できなくなる。弾性が増すことによって、分割した釣り合い重りの薄い部分の接触面には騒音が一層発生しやすくなる。更に、分割した釣り合い重り９はかなりの（ｑｕａｎｔｉｆｉａｂｌｅ）エネルギー損失を与える。
【００１６】
図３に示されるような締付け荷重の分布を達成することが意図される。本発明によれば、図３および図４に示されるように釣り合い重り９の内周面に溝１２を備えることでこれが達成される。釣り合い重り９の内周面に溝１２を備えることにより、釣り合い重り９の材料にしたがう力線が外周面へ向かって外方へ移動し、釣り合い重りの厚さが直径の半分未満のときでさえもセラミックス板７の全面に作用する均等分布された締付け力が得られるようになる。
【００１７】
溝１２は釣り合い重り９の内周面全体をまわって延び、釣り合い重り９の中央に配置される。溝１２は真直、Ｕ字形またはＶ字形とされ得る。溝１２は更にゆるやかな丸み（ｒａｄｉｕｓ）１３、すなわちできるだけ大きな半径１３を有する。好ましい実施例では、溝１２はＶ字形である。小さな半径１３または真直な隅部は疲労亀裂を釣り合い重り９の材料に発生させる。溝１２は、大部分の範囲で、釣り合い重り９の厚さＡの２０〜８０％をなす。好ましい実施例では、溝１２は釣り合い重り９の厚さＡの４０〜５０％をなす。溝１２の深さは内周面および外周面の間の釣り合い重り９の材料厚さＢの１５〜４０％である。好ましい実施例では、溝１２の深さは釣り合い重り９の材料厚さＢの２０〜３０％である。図３および図４に示されるように、釣り合い重り９は異なる直径を有していてもよい。釣り合い重り９の上側部分では、内径Ｄ１は締付けねじ１０の直径で決定され、釣り合い重り９の下側部分では内径Ｄ２はセラミックス板７の内径で決定される。内径Ｄ２はセラミックス板７の内径に等しくされるべきである。
【００１８】
前述の説明から明白となるように、本発明は、セラミックス板７に締付け荷重のより均等な荷重分布を与える超音波密封装置１用の駆動装置２の配列を実現する。この配列は、従来の駆動装置２よりも効率的な駆動装置２を提供し、またこの配列は有効寿命の長い駆動装置２を与える。
【００１９】
本発明は上述しまた図面に示したものに限定されると考えるべきではなく、多くの変更が特許請求の範囲の欄に記載の精神および範囲から逸脱せずに考えられる。
【図面の簡単な説明】
【図１】超音波密封装置の斜視図。
【図２】従来の駆動装置の荷重分布を示す説明図。
【図３】本発明による駆動装置の荷重分布を示す説明図。
【図４】本発明による駆動装置を示す断面図。
【符号の説明】
１  超音波密封装置
２  駆動装置
３  リアクションボデー
４  節平面
５  ホーン
６  密封面
７  セラミックス板
８  導電金属板
９  釣り合い重り
１０  締付けねじ
１２  溝
１３  丸み
【図１】
0003727725.tif 000002
【図２】
0003727725.tif 000003
【図３】
0003727725.tif 000004
【図４】
0003727725.tif 000005